(57)【要約】【課題】突出姿勢にしたときに、筆記具全体としてクリップが軸筒と一体感を持ち、外観が損なわれない出没式筆記具を提供することを課題とする。【解決手段】ペン先３１が軸筒２内部に収納された収納姿勢からペン先３１の一部が軸筒２から突出した突出姿勢に姿勢変更する際に、操作部６の操作側凸部６５をクリップ部７のクリップ側溝部７８に沿って移動させて、クリップ部７を軸筒２側に移動させて、クリップ本体７６を軸筒２の外周面と面接触させ、さらに、クリップ支持部７５を移動空間８５の内部に収納させる。【選択図】図３
2016107518.tif 000002
【特許請求の範囲】
【請求項１】
使用者が把持するための軸筒と、使用者が操作する操作部と、前記操作部と直接的又は間接的に接続される筆記部と、クリップ部を有した出没式筆記具であって、
操作部を操作することで、筆記部の一部が軸筒から突出した突出姿勢と、筆記部の全体が軸筒内部に収納された収納姿勢との間で姿勢変更が可能な出没式筆記具において、
前記クリップ部は、クリップ支持部と、クリップ本体を有し、
前記クリップ本体は、前記クリップ支持部に片持ち状に支持されており、
前記操作部は、前記クリップ支持部の大部分を収納するための収納空間を有するものであって、かつ、操作側凸部又は操作側溝部を有し、
クリップ支持部は、前記操作側凸部又は操作側溝部と対をなし、前記操作側凸部又は操作側溝部と係合可能なクリップ側溝部又はクリップ側凸部を有するものであり、
前記収納姿勢から前記突出姿勢に姿勢変更する際に、前記操作側凸部又は前記クリップ側凸部が前記クリップ側溝部又は前記操作側溝部に沿って相対的に移動することで、前記クリップ部は、軸筒側に移動して、クリップ本体の自由端側の端部が軸筒の外周面に接触又は軸筒の外周面よりも内側に進入し、さらに、軸方向に対して直交する方向における前記クリップ支持部の大部分が前記収納空間に収納されることを特徴とする出没式筆記具。
【請求項２】
前記操作部は、押圧部と、固定部を有し、
前記固定部は、係合片を有し、
前記係合片は、前記操作側凸部又は前記操作側溝部を有し、
前記押圧部は、クリップ支持部を基準として前記係合片の外側を覆っており、
クリップ支持部と押圧部と係合片のそれぞれの一部が前記軸筒の内側に収納され、
前記収納姿勢から前記突出姿勢に姿勢変更する際に、前記軸筒の内側で前記押圧部と前記クリップ支持部が前記固定部に対して一体的に移動することを特徴とする請求項１に記載の出没式筆記具。
【請求項３】
前記収納姿勢において、クリップ支持部と、押圧部との間に移動空間が形成されており、
前記収納姿勢から前記突出姿勢に姿勢変更する際に、当該移動空間内にクリップ支持部が進入することを特徴とする請求項２に記載の出没式筆記具。
【請求項４】
前記押圧部は、クリップ支持部の移動方向を規制する規制部を有し、
前記規制部は、前記収納姿勢から前記突出姿勢に姿勢変更する際に、クリップ支持部を所定の姿勢に維持した状態で移動させることを特徴とする請求項２又は３に記載の出没式筆記具。
【請求項５】
前記軸筒は、外周面に凹部を有しており、
突出姿勢において、前記凹部にクリップ本体の一部が嵌まり、
前記凹部の底部にクリップ本体が面接触していることを特徴とする請求項１〜４のいずれかに記載の出没式筆記具。
【請求項６】
前記操作部は、押圧部と、固定部を有し、
前記固定部は、対向する２つの係合片を有し、
前記係合片は、それぞれ互いに近接する方向に突出した前記操作側凸部を有し、
前記クリップ支持部は、板状であって、厚み方向に貫通したクリップ側溝部を有し、
前記クリップ支持部は、前記２つの係合片に挟まれており、前記クリップ側溝部の両側の開口からそれぞれの係合片の操作側凸部が挿入されていることを特徴とする請求項１〜５のいずれかに記載の出没式筆記具。
【発明の詳細な説明】
【技術分野】
【０００１】
本発明は、マーカーやボールペンなどの筆記具に関するものである。特に本発明は、ペン先が軸筒から出没する出没式筆記具に関するものである。
【背景技術】
【０００２】
従来から、ペン先が軸筒の内外に出没する出没式ボールペンが知られている。
この出没式ボールペンは、軸方向の端部にペン先と連動する押圧部を有しており、使用者がこの押圧部に対して押圧操作することによって、ペン先が軸筒内に収納された収納姿勢とペン先が軸筒から突出した突出姿勢との間での姿勢変更を可能としている。すなわち、この出没式ボールペンは、収納姿勢にすることで、ペン先が使用者に直接触れることを防止できる。
一方、この出没式ボールペンは、突出姿勢にすることで、ペン先を軸筒から突出させ、紙等の被筆記物に対してインクを筆記することが可能となる。
【０００３】
ところで、出没式ボールペンは、衣服等に固定するためのクリップを備えたものが主流となっている。このクリップは、長尺状のクリップ本体と、軸筒と一体をなしクリップ本体を片持ち状に支持するクリップ支持部から形成されている。
すなわち、使用者は、衣服のポケット等をこのクリップ本体と軸筒の外周面で挟むことによって、衣服のポケット等にボールペンを固定できる。こうすることによって、使用者は、ボールペンの持ち運びが容易となる。このようなクリップを備えた出没式筆記具としては、例えば、特許文献１がある。
【０００４】
ところで、使用者の中には、出没式ボールペンで紙等の被筆記物に筆記した後に、出没式ボールペンが突出姿勢であることを忘れて、そのまま、ポケット等に固定してしまう場合がある。すなわち、軸筒からペン先が露出した状態のまま、クリップをポケット等に固定してしまう場合がある。このような場合、ポケット等に固定した際に、ペン先が衣服等に接触してしまい、インキが衣服等に付着してしまうおそれがある。また、ポケット等からボールペンを取り外す際にも、不意に手にインキがつくおそれもある。
【０００５】
そこで、特許文献２では、このような事態を防止する方策が開示されている。
すなわち、この特許文献２に記載のノック式筆記具は、突出姿勢において、クリップ本体を軸筒の表面に密着させて、ポケット等を挿入する隙間を無くしてしまう。こうすることで、使用者は、衣服等に固定する際に、ポケット等に取り付けができないので、突出姿勢であることに気づくことが可能となる。
【先行技術文献】
【特許文献】
【０００６】
【特許文献１】特開２０１３−１５４６２８号公報
【特許文献２】特開２０１１−２１８６４９号公報
【発明の概要】
【発明が解決しようとする課題】
【０００７】
上記した特許文献２に記載のノック式筆記具は、ノック棒（押圧部）の側面にガイド溝を設けて、クリップの基部（クリップ支持部）をガイド溝に沿ってスライドさせることによって、クリップを移動させる構造となっている。
しかしながら、この特許文献２に記載のノック式筆記具は、突出姿勢にしたときに、基部の一部が軸筒のクリップと反対側の側面から張り出してしまう。すなわち、クリップの基部が軸筒を径方向に貫通して反対側に張り出しており、筆記具全体として、外観が損なわれるという問題があった。
また、クリップの基部が軸筒の側面から張り出すので、使用者が筆記具を把持する際に、当該張り出し部位が邪魔に感じてしまうという問題もあった。
【０００８】
そこで、本発明は、突出姿勢にしたときに、筆記具全体としてクリップが軸筒と一体感を持ち、外観が損なわれない出没式筆記具を提供することを課題とする。
【課題を解決するための手段】
【０００９】
上記の課題を解決するための請求項１に記載の発明は、使用者が把持するための軸筒と、使用者が操作する操作部と、前記操作部と直接的又は間接的に接続される筆記部と、クリップ部を有した出没式筆記具であって、操作部を操作することで、筆記部の一部が軸筒から突出した突出姿勢と、筆記部の全体が軸筒内部に収納された収納姿勢との間で姿勢変更が可能な出没式筆記具において、前記クリップ部は、クリップ支持部と、クリップ本体を有し、前記クリップ本体は、前記クリップ支持部に片持ち状に支持されており、前記操作部は、前記クリップ支持部の大部分を収納するための収納空間を有するものであって、かつ、操作側凸部又は操作側溝部を有し、クリップ支持部は、前記操作側凸部又は操作側溝部と対をなし、前記操作側凸部又は操作側溝部と係合可能なクリップ側溝部又はクリップ側凸部を有するものであり、前記収納姿勢から前記突出姿勢に姿勢変更する際に、前記操作側凸部又は前記クリップ側凸部が前記クリップ側溝部又は前記操作側溝部に沿って相対的に移動することで、前記クリップ部は、軸筒側に移動して、クリップ本体の自由端側の端部が軸筒の外周面に接触又は軸筒の外周面よりも内側に進入し、さらに、軸方向に対して直交する方向における前記クリップ支持部の大部分が前記収納空間に収納されることを特徴とする出没式筆記具である。
【００１０】
ここでいう「大部分」とは、基準物の７０パーセント以上の部位を表す。すなわち、「クリップ支持部の大部分」とは、クリップ支持部の７０パーセント以上の部位を表す。
ここでいう「相対的に移動する」とは、一方に対して他方の相対位置が移動することをいう。例えば「ＡがＢに沿って相対的に移動」とは、必ずしもＡが移動する必要はなく、実際に移動するのはＢであってもよい。
【００１１】
本発明の構成によれば、収納姿勢から突出姿勢に姿勢変更する際に、操作部の操作側凸部又はクリップ支持部のクリップ側凸部がクリップ支持部のクリップ側溝部又は操作部の操作側溝部に沿って相対的に移動して、クリップ部が軸筒側に移動する。その移動に伴ってクリップ本体の自由端側の端部が軸筒の外周面に接触又は軸筒の外周面よりも内側に進入する。すなわち、収納姿勢において、クリップ本体の自由端側の端部と軸筒の外周面との間に隙間が存在し、収納姿勢から突出姿勢への姿勢変更の動作に連動して、クリップ本体の自由端側端部が軸筒の外周面と接触又は外周面の内側に進入し、クリップ本体の自由端側端部と軸筒の外周面との隙間は無くなる。そのため、使用者は、収納姿勢においては、クリップ本体と軸筒の外周面との隙間に衣服等を挟んで固定することができ、突出姿勢においては、当該隙間がなくなるので、クリップ本体と軸筒の外周面とで衣服等を挟むことができなくなる。すなわち、本発明の出没式筆記具は、突出姿勢では衣服等に固定することができないので、使用者は、当該出没式筆記具が突出姿勢であることを気づくことが可能となり、衣服等に取り付ける際に、衣服等に筆記部が接触することを事前に防止することができる。
また本発明の構成によれば、収納姿勢から突出姿勢に姿勢変更する際に、クリップ部が軸筒側に移動して、突出姿勢において、軸方向に対して直交する方向におけるクリップ支持部の大部分が操作部の収納空間に収納されるので、クリップ支持部が、軸筒の反対側（軸筒への取り付け部位に対して反対側）の外周面から外側に張り出さずに軸筒内に収まり、筆記具全体として、外観が損なわれることを防止することができる。
さらに、本発明の構成によれば、軸方向に対して直交する方向におけるクリップ支持部の大部分が操作部の収納空間に収納されるので、使用者が筆記具を把持する際に、クリップ支持部が邪魔になることがなく、違和感なく筆記を行うことができる。
【００１２】
上記した発明は、前記収納姿勢から前記突出姿勢に姿勢変更する際に、前記操作側凸部又は前記クリップ側凸部が前記クリップ側溝部又は前記操作側溝部に沿って相対的に移動することで、前記クリップ部は、軸筒側に移動して、クリップ本体が軸筒の外周面と面接触してもよい。
【００１３】
請求項２に記載の発明は、前記操作部は、押圧部と、固定部を有し、前記固定部は、係合片を有し、前記係合片は、前記操作側凸部又は前記操作側溝部を有し、前記押圧部は、クリップ支持部を基準として前記係合片の外側を覆っており、クリップ支持部と押圧部と係合片のそれぞれの一部が前記軸筒の内側に収納され、前記収納姿勢から前記突出姿勢に姿勢変更する際に、前記軸筒の内側で前記押圧部と前記クリップ支持部が前記固定部に対して一体的に移動することを特徴とする請求項１に記載の出没式筆記具である。
【００１４】
本発明の構成によれば、収納姿勢から突出姿勢に姿勢変更する際に、軸筒の内側で押圧部とクリップ支持部が固定部に対して一体的に移動する。すなわち、押圧部に加わる押圧力を利用してクリップ支持部が移動して、クリップ本体の自由端側端部が軸筒の外周面と接触又は外周面の内側に進入する。そのため、容易にクリップ本体の自由端側端部と軸筒の外周面との間の空間をつぶすことができる。
【００１５】
上記した発明は、前記操作部の操作側溝部又はクリップ支持部のクリップ側溝部の延び方向は、少なくとも軸方向成分と、軸方向に対して直交する方向の成分に分解できることとしてもよい。
【００１６】
この発明の構成によれば、操作部とクリップ支持部の相対移動が２方向成分に分解できるため、操作部と接続されるペン先の移動と、クリップ部の移動の両方を１動作で行うことができる。
【００１７】
請求項３に記載の発明は、前記収納姿勢において、クリップ支持部と、押圧部との間に移動空間が形成されており、前記収納姿勢から前記突出姿勢に姿勢変更する際に、当該移動空間内にクリップ支持部が進入することを特徴とする請求項２に記載の出没式筆記具である。
【００１８】
本発明の構成によれば、収納姿勢から突出姿勢に姿勢変更する際に、クリップ支持部と押圧部との間の移動空間内にクリップ支持部が進入するので、クリップ支持部の移動先を確保することができ、クリップ支持部の移動を軸筒内で行うことができる。
【００１９】
請求項４に記載の発明は、前記押圧部は、クリップ支持部の移動方向を規制する規制部を有し、前記規制部は、前記収納姿勢から前記突出姿勢に姿勢変更する際に、クリップ支持部を所定の姿勢に維持した状態で移動させることを特徴とする請求項２又は３に記載の出没式筆記具である。
【００２０】
本発明の構成によれば、収納姿勢から突出姿勢に姿勢変更する際に、クリップ支持部の移動方向を規制する規制部により、クリップ支持部は姿勢を維持したまま移動するので、クリップ部がガタつきにくく、クリップ本体をスムーズに移動させることができる。
【００２１】
請求項５に記載の発明は、前記軸筒は、外周面に凹部を有しており、突出姿勢において、前記凹部にクリップ本体の一部が嵌まり、前記凹部の底部にクリップ本体が面接触していることを特徴とする請求項１〜４のいずれかに記載の出没式筆記具である。
【００２２】
本発明の構成によれば、突出姿勢において、軸筒の外周面に形成された凹部にクリップ本体が嵌って、凹部の底部にクリップ本体が面接触しているので、一体感があり、美観に優れた出没式筆記具となる。また、本発明の構成によれば、筆記時に指がクリップ本体に引っ掛かりにくく、邪魔になりにくい。
【００２３】
請求項６に記載の発明は、前記操作部は、押圧部と、固定部を有し、前記固定部は、対向する２つの係合片を有し、前記係合片は、それぞれ互いに近接する方向に突出した前記操作側凸部を有し、前記クリップ支持部は、板状であって、厚み方向に貫通したクリップ側溝部を有し、前記クリップ支持部は、前記２つの係合片に挟まれており、前記クリップ側溝部の両側の開口からそれぞれの係合片の操作側凸部が挿入されていることを特徴とする請求項１〜５のいずれかに記載の出没式筆記具である。
【００２４】
本発明の構成によれば、クリップ支持部は、固定部の２つの係合片に挟まれて、クリップ側溝部の両側の開口からそれぞれの係合片の操作側凸部が挿入されているので、クリップ支持部の移動に伴うがたつきを防止することができる。
【発明の効果】
【００２５】
本発明の出没式筆記具によれば、突出姿勢にしたときに、筆記具全体としてクリップが軸筒と一体感を持ち、外観が損なわれない。
【図面の簡単な説明】
【００２６】
【図１】本発明の第１実施形態に係る出没式筆記具の斜視図である。
【図２】図１の出没式筆記具の分解斜視図である。
【図３】図１の出没式筆記具の断面図であり、（ａ）は収納姿勢を表し、（ｂ）は突出姿勢を表す。
【図４】図２の軸筒の分解斜視図である。
【図５】図２の軸筒の断面図である。
【図６】図４の後側筒部の一部破断斜視図である。
【図７】図２の操作部の分解斜視図である。
【図８】図７の押圧部の側面図である。
【図９】図７の押圧部を別の方向からみた斜視図であり、一部を透過して示している。
【図１０】図７の中継部の側面図である。
【図１１】図７の中継部を別の方向からみた斜視図である。
【図１２】図７の回転子を別の方向からみた斜視図である。
【図１３】図１２の回転子の外周を模式的に引き延ばした平面図である。
【図１４】図７のクリップ部の側面図である。
【図１５】図１の出没式筆記具の収納姿勢から突出姿勢に切り替える際の回転子の周囲であって、回転子の側面を引き延ばしたときの回転子と突条部と係合突起の位置関係の説明図であり、（ａ）は収納姿勢における各部位の位置関係を表し、（ｂ）は収納姿勢から突出姿勢に切り替える途中の各部位の位置関係を表し、（ｃ）は収納姿勢から突出姿勢に切り替える途中の各部位の位置関係を表し、（ｄ）は突出姿勢における各部位の位置関係を表す。
【図１６】図１の出没式筆記具の収納姿勢から突出姿勢に切り替える際のクリップ支持部と凸部の位置関係の説明図であり、（ａ）は収納姿勢における各部位の位置関係を表し、（ｂ）は収納姿勢から突出姿勢に切り替える途中の各部位の位置関係を表し、（ｃ）は突出姿勢における各部位の位置関係を表す。
【図１７】図１の出没式筆記具の収納姿勢から突出姿勢に切り替える際の回転子の周囲であって、回転子の側面を引き延ばしたときの回転子と突条部と係合突起の位置関係の説明図であり、（ａ）は突出姿勢における各部位の位置関係を表し、（ｂ）は突出姿勢から収納姿勢に切り替える途中の各部位の位置関係を表し、（ｃ）は収納姿勢における各部位の位置関係を表す。
【図１８】図１の出没式筆記具の突出姿勢から収納姿勢に切り替える際のクリップ支持部と凸部の位置関係の説明図であり、（ａ）は突出姿勢における各部位の位置関係を表し、（ｂ）は突出姿勢から収納姿勢に切り替える途中の各部位の位置関係を表し、（ｃ）は収納姿勢における各部位の位置関係を表す。
【図１９】本発明の他の実施形態の出没式筆記具の要部を表す斜視図である。
【図２０】本発明の他の実施形態の出没式筆記具の断面図であり、（ａ）は収納姿勢を表し、（ｂ）は突出姿勢を表す。
【発明を実施するための形態】
【００２７】
以下、本発明の実施形態について詳細に説明する。なお、以下の説明において前後の関係は、ペン先側を前側、ペン軸側を後側として説明する。
【００２８】
第１実施形態の出没式筆記具１は、いわゆるノック式のボールペンであり、図１，図２に示されるように、軸筒２と、芯部材３と、弾性部材５と、操作部６と、クリップ部７から形成されている。
そして、出没式筆記具１は、使用者が操作部６の操作を操作することによって、芯部材３が軸筒２の軸方向Ｌに沿って移動し、芯部材３の前方端部に設けられたペン先３１（筆記部）が軸筒２の内外に出没する構成となっている。
すなわち、出没式筆記具１は、図３に示されるように、ペン先３１の一部が軸筒２から突出した突出姿勢（筆記姿勢）と、ペン先３１全体が軸筒２内に収納された収納姿勢との間で姿勢変更が可能となっている。
【００２９】
軸筒２は、使用者が筆記時に主に把持する部位であり、図４に示されるように前側筒部１０と、後側筒部１１から形成されている。
前側筒部１０と後側筒部１１の内部には、図５に示されるように、それぞれ内部空間１６，１７が形成されており、内部空間１６，１７の空間は、互いに連通している。すなわち、軸筒２は、軸方向Ｌにおいて、一つの連通した連通空間を備えている。
【００３０】
前側筒部１０は、図４に示されるように、略円筒状の部材であり、その外周面が中間部から先端部にかけて先細りした部材である。
前側筒部１０の内部には、図５に示されるように、軸方向Ｌに対して直交した係止面１３を有している。
係止面１３は、図３のように出没式筆記具１を組み立てた際に、弾性部材５の一方の端部と当接する面であり、その中心には、図５のように、軸方向Ｌに貫通した貫通孔１２を有している。この貫通孔１２は、出没式筆記具１を組み立てた際に、芯部材３のペン先３１が出入りする出入り孔である。
【００３１】
係止面１３の後方には、芯部材３のインキ収容部３０を収納可能な内部空間１６が存在している。この内部空間１６は、係止面１３から後方に向かって開放しており、貫通孔１２の内部と連通している。すなわち、前側筒部１０は、軸方向Ｌにおいて貫通している。
【００３２】
また、前側筒部１０は、図４に示されるように、軸方向Ｌの後方端部近傍に前方側の部位に比べて縮径した縮径部１８を有しており、その縮径部１８の外周面には、ねじ山が形成された雄ねじ部１５を有している。
雄ねじ部１５は、図５のように後側筒部１１の内周面に形成された雌ねじ部２０と螺合可能な部位である。
【００３３】
後側筒部１１は、図６のように、略円筒状の部材であり、前後方向Ｌ（軸方向）に貫通した部材である。
後側筒部１１は、前方端部の付近の内周面にねじ山が形成された雌ねじ部２０を有している。この雌ねじ部２０は、前側筒部１０の縮径部１８の雄ねじ部１５と螺嵌可能となっている。
【００３４】
後側筒部１１の外周面は、図６のように、凹部２１と、固定穴２４を有している。
凹部２１は、他の部位に比べて径方向に窪んだ部位である。凹部２１は、軸方向Ｌにおいて中間部から後端部にかけて形成されており、径方向（軸方向Ｌに対して直交する方向）において、外側から内側に向けて窪んでいる。
【００３５】
凹部２１は、前方側から後方側に向かって順に、挿入穴２２、係合穴２５、及び切り欠き部２３を有している。
挿入穴２２は、凹部２１の底部を部材厚方向に貫通した貫通孔であり、突出姿勢において、クリップ部７の当接部７７（図１４参照）を挿入可能な穴である。
挿入穴２２は、凹部２１の前方側の端部近傍に位置している。
【００３６】
係合穴２５は、後側筒部１１の外周面を部材厚方向（径方向）に貫通した貫通孔であり、その開口形状は四角形状となっている。係合穴２５は、その内部に中継部３６（図７参照）の一部を挿入して、中継部３６と係合可能となっている。
また、係合穴２５は、挿入穴２２と切り欠き部２３の間にあって、かつ、切り欠き部２３よりもやや前方側に位置している。
【００３７】
切り欠き部２３は、後側筒部１１の外周面を部材厚方向に貫通した切り欠きであり、後方端部から中間部側に向かって軸方向Ｌに直線状に延びている。また、切り欠き部２３は、クリップ部７のクリップ支持部７５を挿通可能となっている。
【００３８】
固定穴２４は、後側筒部１１を部材厚方向に貫通した貫通孔である。
固定穴２４は、係合穴２５と内部空間１７を挟んで径方向に対向している。固定穴２４は、軸方向Ｌの中央よりも後側に位置している。
【００３９】
芯部材３は、いわゆるリフィルであり、図２のように、インキ収容部３０と、ペン先３１（筆記部）から形成されている。
インキ収容部３０は、内部にインキを収容可能な部位であって、円筒状の部位である。
インキ収容部３０は、前側端部（ペン先３１側）に弾性部材５を受けることが可能な弾性用受け部３２を有している。
弾性用受け部３２は、弾性部材５を取り付け可能な部位であって、インキ収容部３０の他の部位に比べて縮径されている部位である。
ペン先３１は、インキ収容部３０内に収容したインキを紙等の被筆記物に対して塗布可能な部位である。
インキ収容部３０とペン先３１は、軸方向Ｌに一体的に接続されている。
【００４０】
弾性部材５は、公知の圧縮コイルばねであり、圧縮することで、圧縮方向に対して反対方向に弾性復元力が働く部材である。
【００４１】
操作部６は、図７に示されるように、押圧部３５と、中継部３６（固定部）と、回転子３７から形成されている。
【００４２】
押圧部３５は、姿勢変更を行う際に、使用者が押圧操作を行う部位である。
押圧部３５は、図７に示されるように、後端側が閉塞した略円筒状の部材であり、後端面を形成する後端面形成部３８と、後端面形成部３８に対して軸方向Ｌに立設された周面形成部４０から形成されている。
【００４３】
後端面形成部３８は、姿勢変更を行う際に、使用者が指等で押圧する被押圧部位であり、図９に示されるように、前方側の面に径方向に延びた後端側規制溝４１（規制部）を有している。
後端側規制溝４１は、クリップ部７のクリップ支持部７５（図１４参照）の後方端部と嵌合可能な溝である。
後端側規制溝４１は、クリップ支持部７５と嵌合することで、クリップ支持部７５の移動を径方向の移動のみに制限することが可能となっている。
【００４４】
周面形成部４０は、図８，図９から読み取れるように、軸方向Ｌにおいて、厚みが異なる２つの側面部４２，４３から形成されている。
すなわち、周面形成部４０は、軸方向Ｌにおいて、前方側に位置する前側側面部４２と、この前側側面部４２に対して後方側に位置する後側側面部４３から形成されている。
【００４５】
前側側面部４２は、図９のように、断面形状が略半円弧状をした部位である。
前側側面部４２は、前方側から後方側に向けて、環状突条部４７、係合突起４６、及び移動制限溝４５をこの順に有している。
【００４６】
環状突条部４７は、前側側面部４２の内周面から内側に向けて立設し、前側側面部４２の先端縁に沿って周方向に延びた突条であり、回転子３７の抜け落ちを防止する部位である。すなわち、環状突条部４７の突出方向先端面で形成される円弧の内径は、回転子３７の外径よりも小さい。
【００４７】
係合突起４６は、回転子３７の係合部６８と係合可能な突起であり、断面形状が５角形状となっている。
係合突起４６は、図８から読み取れるように、周方向の端面を形成する側面５１，５２と、前方側の端面を形成する傾斜面３３，３４を有している。
傾斜面３３は、基端側（後方側）が側面５１と接続された面であり、側面５１に対して傾斜した面である。傾斜面３４は、基端側（後方側）が側面５２と接続された面であり、側面５２に対して傾斜した面である。また、傾斜面３３，３４は、その先端同士が接続されている。
傾斜面３３，３４の交点から軸方向に延ばした仮想線Ｘに対する傾斜面３３の傾斜角度θ１は、仮想線Ｘに対する傾斜面３４の傾斜角度θ２よりも小さい。
また、傾斜面３３の軸方向成分の大きさは、傾斜面３４の軸方向成分の大きさよりも大きい。傾斜面３３の周方向成分の大きさは、傾斜面３４の周方向成分の大きさと同程度となっている。
また、係合突起４６は、環状突条部４７と移動制限溝４５の間の位置であって、移動制限溝４５の前方端部近傍に位置している。
【００４８】
移動制限溝４５は、図７に示される中継部３６の区切り板部５５の突出片６１を挿入可能な溝であり、直線状に延びた長溝である。
移動制限溝４５は、図８のように、後側側面部４３と係合突起４６を結ぶように形成されており、後側側面部４３との境界部位から係合突起４６に向かって直線状に延伸している。
【００４９】
後側側面部４３の内周面は、図９のように、壁部４９を介して、前側側面部４２の内周面と連続している。壁部４９は、後側側面部４３の前方端面を形成する壁である。
【００５０】
後側側面部４３は、図８に示されるように、係止片５０と、側面側固定溝４４を有している。
係止片５０は、図９に示されるように、壁部４９の近傍にあって、内周面に対して直立した板状の部位である。
係止片５０は、その主面が軸方向Ｌを向いており、後方側の主面が後端面形成部３８の後端側規制溝４１と対面するように立設されている。
【００５１】
また、別の観点からみると、係止片５０は、前側側面部４２で囲まれた囲繞空間８６と、後側側面部４３で囲まれた囲繞空間８７の接続する開口を２つの開口に分断している。
すなわち、係止片５０の径方向の両外側には、囲繞空間８６と囲繞空間８７を連通する２つの連通開口５３，５４が形成されている。
連通開口５３，５４には、中継部３６の係合片５８，５９の軸方向Ｌの中間部を挿入可能となっている。
【００５２】
側面側固定溝４４は、係止片５０と後端側規制溝４１をつなぐように形成された溝であり、軸方向Ｌに直線状に延びた長溝である。
【００５３】
中継部３６は、図１０，図１１に示されるように、区切り板部５５と、軸部５６と、側面形成部５７と、係合片５８，５９から形成されている。
区切り板部５５は、図１１のように、中継部３６を軸方向Ｌの前後で区切る部位であり、円盤状の本体部６０と、本体部６０の外周面から径方向に突出した突出片６１から形成されている。
【００５４】
軸部５６は、回転子３７を支持する部位であり、円柱状の部位である。
軸部５６は、図１１のように、区切り板部５５の本体部６０の前面から前方に向かって立設されており、本体部６０の前面の中心から軸方向Ｌに延びている。
【００５５】
側面形成部５７は、区切り板部５５の本体部６０の周端部から前方に向かって立設された部位である。
側面形成部５７は、その内側面に、前方側から後方側に向けて環状突条部６４、突条部６２を備えており、その外側面に、突出片６３を備えている。
側面形成部５７は、区切り板部５５の本体部６０の周端部に沿って円弧状に延びている。側面形成部５７の内周面には、周方向の中間部であって、周方向の中央からやや片側にずれた位置に突条部６２が形成されている。
この突条部６２は、側面形成部５７の内周面から中心軸に向かって径方向に突出しており、区切り板部５５から軸方向Ｌ先端側に向けて直線状に延びている。
【００５６】
また、側面形成部５７は、図７，図１１から読み取れるように区切り板部５５の外周面と接続されており、区切り板部５５の突出片６１と反対側の位置に突出片６３を有している。
突出片６３は、側面形成部５７の外周面から径方向の外側に向けて突出した部位であり、区切り板部５５の突出片６１に対して離反する方向に突出している。
【００５７】
環状突条部６４は、側面形成部５７の内周面から内側に向けて立設し、側面形成部５７の先端縁に沿って周方向に延びた突条であり、回転子３７の抜け落ちを防止する部位である。すなわち、環状突条部６４の突出方向先端面で形成される円弧の内径は、回転子３７の外径よりも小さい。
【００５８】
図１０に示される環状突条部６４の後端面から突条部６２の前方端部までの長さｈ１は、図１３に示される回転子３７の係合部６８の全長（前後方向の長さ）ｈ２よりも長い。
【００５９】
係合片５８，５９は、図１０，図１１から読み取れるように、長方形状の板状部位であり、その長辺が軸方向Ｌを向くように区切り板部５５の後面から立設されている。すなわち、係合片５８，５９は、軸部５６と反対側に立設されている。
係合片５８，５９は、図１０のように、径方向に所定の間隔を空けて配されており、その主面同士が互いに対面している。
具体的には、係合片５８，５９の間隔（対向する面間の距離）は、クリップ支持部７５の厚みとほぼ等しい。
また、係合片５８，５９は、その対面する主面から互いに近接する方向に突出した操作側凸部６５，６６を有している。操作側凸部６５，６６は、円柱状の突起であり、係合片５８，５９の長手方向の後方側の端部近傍に位置している。
【００６０】
回転子３７は、図１２のように、略円筒状の部材であり、その中心に軸方向Ｌに貫通した回転孔７３を有している。
回転孔７３は、軸部５６を挿通可能な軸孔である。
【００６１】
また、回転子３７は、図１２，図１３のように、軸方向Ｌの後端部に係合部６８を有している。
係合部６８は、回転子３７の外周面の一部を切り欠いて形成された部位であり、図１３のように、回転子３７の外周面を引き延ばしたときにノコギリ状をしている。
【００６２】
係合部６８は、図１２，図１３に示されるように、複数の山部７２を有している。
山部７２は、周方向に対して直交する平面を形成する係止面７０と、係止面７０に対して傾斜した傾斜面７１から形成されている。
図１３に示される係止面７０に対する傾斜面７１の傾斜角度θ３は、押圧部３５の係合突起４６の仮想線Ｘに対する傾斜面３４の傾斜角度θ２（図８参照）以下となっており、傾斜面７１の傾斜角度θ３は、傾斜面３４の傾斜角度θ２より小さくなっていることが好ましい。
本実施形態では、傾斜面７１の傾斜角度θ３は、傾斜面３４の傾斜角度θ２よりもわずかに小さい。
【００６３】
また、特定の山部７２には、それぞれ長溝７４が形成されている。
長溝７４は、図１２のように、回転子３７の外周面に形成され、回転子３７全体にわたって、軸方向Ｌに直線上に延びた有底溝である。
長溝７４の溝幅は、中継部３６の側面形成部５７の突条部６２（図１１参照）の周方向の幅よりも大きく、押圧部３５の係合突起４６（図８参照）の周方向の幅よりも小さい。すなわち、長溝７４には、中継部３６の側面形成部５７の突条部６２を挿入可能であるのに対して、押圧部３５の係合突起４６は挿入不能となっている。
長溝７４は、係止面７０の延長状に形成されており、長溝７４の内側側面は、係止面７０と面一となっている。
長溝７４は、上記したように、周方向において、特定の山部７２に対して形成されている。
具体的には、２つの山部７２ごとに１つの長溝７４を備えている。長溝７４が形成されていない山部７２の両側の山部７２には、長溝７４が形成されていない。長溝７４は、周方向に等間隔に配されている。
【００６４】
クリップ部７は、使用者等のポケット等に固定可能な部位であり、側面視したときに、略Ｌ字状をしている。
クリップ部７は、図２，図１４に示されるように、クリップ支持部７５と、クリップ本体７６を有している。
【００６５】
クリップ支持部７５は、クリップ本体７６を片持ち状に支持する部材であり、長方形状の板状部位である。
クリップ支持部７５は、図１４のように、その長辺部位がクリップ本体７６と接続されており、クリップ本体７６に対して直立している。
【００６６】
また、クリップ支持部７５は、図２に示されるように、部材厚方向に貫通したクリップ側溝部７８を有している。
クリップ側溝部７８は、係合片５８，５９の操作側凸部６５，６６（図１０参照）を挿入可能な溝であり、操作側凸部６５，６６を挿入することで、操作側凸部６５，６６の移動方向を規制する溝である。
クリップ側溝部７８の溝幅は、係合片５８，５９の操作側凸部６５，６６の外径とほぼ一致している。
【００６７】
クリップ側溝部７８は、図１４のように、軸方向Ｌに直線状に延びた直線部８０と、軸方向に対して交差する方向に延びた傾斜部８１を有している。
直線部８０と傾斜部８１は、軸方向Ｌに連続しており、直線部８０に対する傾斜部８１の傾斜角度θ４は、１２０度から１７０度であることが好ましい。
本実施形態では、直線部８０に対する傾斜部８１の傾斜角度θ４は１５０度程度となっている。すなわち、傾斜部８１の延び方向は、軸方向成分と、径方向成分（軸方向に直交する成分）とに分離できる。
【００６８】
クリップ本体７６は、本体部７９と、当接部７７を有している。
本体部７９は、長板状の部位であり、クリップ支持部７５の短手方向（径方向）の端部が、その主面に接続されている。すなわち、クリップ支持部７５は、クリップ本体７６の本体部７９の主面に対して、立設されている。
当接部７７は、図１４のように、側面形状が半円状をした部位であり、クリップ本体７６の先端部（クリップ支持部７５側と反対側の端部）近傍に位置し、本体部７９の内側面から軸筒２に向かって突出した部位である。
【００６９】
続いて、収納姿勢における各部材の位置関係について説明する。
【００７０】
前側筒部１０と後側筒部１１は、図５のように、その雄ねじ部１５と雌ねじ部２０が、互いに螺合することによって軸筒２を形成している。
弾性部材５の前方端部は、図３のように、係止面１３と当接している。弾性部材５の後方端部側では、その内側にインキ収容部３０の弾性用受け部３２が挿着されている。すなわち、ペン先３１及び弾性用受け部３２の周囲には、弾性部材５の後方端部が巻きつけられており、弾性部材５は、自然状態かやや縮まった状態となっている。
【００７１】
回転子３７は、図３（ａ）のように中継部３６の軸部５６が挿通され、軸部５６の基端側（中継部３６の区切り板部５５側）に位置している。すなわち、中継部３６の軸部５６は、回転子３７の回転孔７３を挿通しており、さらに、その一部が回転子３７よりも前方側にも位置している。要するに、中継部３６の軸部５６は、回転子３７の回転孔７３を突き抜けている。
回転子３７は、長溝７４ａに突条部６２が挿入されており、突条部６２は、長溝７４の基端側（区切り板部５５側）に位置している。
【００７２】
中継部３６は、図７，図８から読み取れるように、係合片５８，５９の中間部が、係止片５０の径方向の両側に位置する連通開口５３，５４に嵌挿されている。言い換えると、係合片５８，５９の間には、係止片５０が介在されており、操作側凸部６５，６６は、軸方向において、係止片５０を超えて後端面形成部３８側に位置している。
係合片５８，５９は、クリップ支持部７５を挟んでおり、操作側凸部６５，６６がクリップ支持部７５のクリップ側溝部７８に挿入されている。
具体的には、係合片５８，５９の操作側凸部６５，６６は、クリップ側溝部７８の厚み方向の両側の開口から挿入されている。そして、係合片５８，５９の操作側凸部６５，６６は、傾斜部８１の前方側の端部に位置している。
側面形成部５７の突出片６３は、軸筒２の後側筒部１１の係合穴２５を挿通しており、さらにその先端部は、クリップ本体７６に近接又は当接している。
一方、突出片６３と反対側の位置にある突出片６１は、押圧部３５の移動制限溝４５を挿通しており、さらにその先端部は、固定穴２４に挿入されている。すなわち、中継部３６は、固定穴２４によって、軸方向Ｌの移動が係止されている。
【００７３】
押圧部３５は、前側側面部４２が中継部３６の側面形成部５７と連続した外周面を形成している。そして、押圧部３５の前側側面部４２及び中継部３６の側面形成部５７は、軸筒２の後側筒部１１によって覆われている。軸筒２の後側筒部１１は、周方向において、係合片５８、側面形成部５７、及び係合片５９に跨って覆っている。区切り板部５５の後面と後側側面部４３の壁部４９との間には、隙間が形成されている。
押圧部３５の係合突起４６は、図１５（ａ）のように、回転子３７の傾斜面７１（７１ｄ）に接触している。具体的には、上記したように係合突起４６の傾斜面３４の傾斜が回転子３７の傾斜面７１の傾斜よりもわずかに大きくなっているので、係合突起４６の前方側の頂部が傾斜面７１と線接触している。そのため、傾斜面３４と傾斜面７１との摩擦抵抗が小さい。
【００７４】
クリップ部７は、クリップ支持部７５の後方端部が、押圧部３５の後端側規制溝４１に嵌挿されている。さらに、クリップ支持部７５の前方端部は、係止片５０の後面と接触しているか、隣接した位置にある。
また、クリップ支持部７５の先端部（クリップ本体７６と反対側の端部）と、周面形成部４０の側面側固定溝４４との間には、移動空間８５（収納空間）が形成されている。
すなわち、クリップ支持部７５は、後端側規制溝４１及び係止片５０の後面によって挟まれた位置にあり、周方向及び軸方向の移動を規制されている。つまり、クリップ支持部７５は、径方向の移動（移動空間８５に向かう方向）のみが許容されている。
【００７５】
続いて、収納姿勢から突出姿勢に姿勢変更する変更動作について説明する。
【００７６】
使用者が押圧部３５の後端面形成部３８を押圧し、ペン先３１を前側筒部１０から突出させる（突出姿勢）。
【００７７】
このとき、回転子３７に注目すると、押圧部３５の係合突起４６は、図１５（ａ）から図１５（ｂ）から読み取れるように、回転子３７の傾斜面７１（７１ｄ）を押圧して軸方向Ｌの前方に向かって直線上に移動し、突条部６２と長溝７４（７４ａ）との係合関係が解除される。
そして、係合突起４６の傾斜面３４によって、回転子３７が周方向に回転し、図１５（ｃ）のように長溝７４（７４ｂ）の後方に係合突起４６が位置する。
このとき、山部７２の頂点が傾斜面３３に接触して、傾斜面３３上をスライドして、係合突起４６が回転子３７に対して相対的に移動する。
そして、押圧を止めると、弾性部材５によって回転子３７に加わる復元力により、突条部６２と回転子３７の傾斜面７１ａの関係によって、回転子３７がさらに回転し、図１５（ｄ）のように係止面７０に突条部６２が当接し、係合突起４６は傾斜面７１ｃの後端部側に位置する。
【００７８】
またこのとき、クリップ部７に注目すると、クリップ支持部７５は、押圧部３５の移動に伴い、係合片５８，５９の操作側凸部６５，６６を軸として、クリップ側溝部７８に沿って移動する。
すなわち、クリップ支持部７５は、図１６（ａ），図１６（ｂ）から読み取れるように操作側凸部６５，６６を軸として傾斜部８１の形状に沿って前方側から後方側に向かうように移動した後、直線部８０の形状に沿って前方側から後方側に移動する。そして、押圧を止めると、弾性部材５の復元力によって、図１６（ｃ）のように、直線部８０に沿って後方側から前方側に移動する。
【００７９】
また、クリップ支持部７５は、押圧部３５に対しては、後端面形成部３８の後端側規制溝４１によって規制されているため、クリップ支持部７５は姿勢を維持したまま、後端側規制溝４１に沿って移動する。
そのため、係合片５８，５９の操作側凸部６５，６６と、クリップ支持部７５のクリップ側溝部７８との係合関係によって、移動空間８５側に移動しながら、軸筒２に対して軸方向Ｌに進む。そして、それらの移動に伴い、クリップ本体７６は、軸筒２側に近接していき、軸筒２の外周面に面接触する。
すなわち、クリップ本体７６の内側面（軸筒２側の面）は、図３（ｂ）に示されるように、軸筒２の凹部２１の底部に面接触し、挿入穴２２内にクリップ部７の当接部７７が進入する。そのため、クリップ本体７６と、軸筒２との間には、実質的に隙間がない状態となる。
ここでいう「実質的に隙間がない」とは、紙等を挿入することができない状態をいい、歪み等による隙間は許容している。
このように、使用者が押圧部３５を押圧する動作に伴って、押圧部３５とクリップ支持部７５は、軸筒２の内側で中継部３６に対して一体的に軸方向に移動する。さらに、クリップ支持部７５は、押圧部３５に対して近接する方向に移動するので、クリップ本体７６は軸筒２の凹部２１の底部に嵌る。
そのため、突出姿勢においては、クリップ部７はクリップとしての機能が消失する。
【００８０】
次に、突出姿勢から収納姿勢に変更する際には、使用者が再度押圧部３５を押圧して、ペン先３１を軸筒２内に収納させる（収納姿勢）。
【００８１】
このとき、回転子３７に注目すると、図１７（ａ），図１７（ｂ）のように、押圧部３５の押圧に伴って、係合突起４６の傾斜面３４と係合部６８の傾斜面７１（７１ｃ）の関係によって、回転子３７が周方向に回転する。
このとき、山部７２の頂点が傾斜面３３に当接して、傾斜面３３上をスライドする。さらに、係合突起４６が回転子３７に対して相対的に移動する。
そして、弾性部材５の復元力によって、図１７（ｂ），図１７（ｃ）のように、突条部６２と傾斜面７１（７１ｆ）との関係により、回転子３７が周方向に移動する。そして、突条部６２が長溝７４の後方に達すると、弾性部材５の復元力によって、突条部６２が長溝７４に沿って移動し、押圧部３５が後方に移動して収納姿勢に戻る。
【００８２】
またこのとき、クリップ部７に注目すると、クリップ支持部７５は、図１８（ａ），図１８（ｂ）のように、押圧部３５の移動に伴い、係合片５８，５９の操作側凸部６５，６６を軸として、クリップ側溝部７８の形状に沿って移動する。
すなわち、クリップ支持部７５は、操作側凸部６５，６６を軸として、直線部８０と傾斜部８１の境界の部位から直線部８０の形状に沿って前方側から後方側に向かって移動する。その後、図１８（ｃ）のように、直線部８０の後方側から前方側に向かうように移動し、さらに傾斜部８１の後方側から前方側に向かって移動する。
そのため、クリップ支持部７５は、係合片５８，５９の操作側凸部６５，６６と、クリップ支持部７５のクリップ側溝部７８との係合関係によって、移動空間８５側から離反する方向に移動しながら、軸筒２に対して軸方向Ｌの後方側に進む。
そして、クリップ本体７６は、軸筒２側から離反していき、軸筒２の外周面との間に空間が形成される。
このように、出没式筆記具１を収納姿勢にすることで、軸筒２の外周面との間に空間が形成されるので、当該空間にポケットの一部等を挟むことが可能であり、持ち運びが容易となる。また、収納姿勢であるから、インキが衣服に付くこともない。
【００８３】
本実施形態の出没式筆記具１によれば、突出姿勢において、クリップ本体７６と軸筒２との間に隙間が形成されず、挟持不能な状態となっているので、使用者がポケット等に収納する際に突出姿勢であることに気付くことができる。そのため、インキが衣服等に付着することを防止することができる。
【００８４】
上記した実施形態では、係合片５８，５９に操作側凸部６５，６６を設け、クリップ支持部７５にクリップ側溝部７８を設けたが、本発明はこれに限定されるものではなく、図１９のように、係合片５８，５９に溝状の操作側溝部９０を設け、クリップ支持部７５に突起状のクリップ側凸部９１を設ける構造であってもよい。
【００８５】
上記した実施形態では、中継部３６は２つの係合片５８，５９を備えていたが、本発明はこれに限定されるものではなく、係合片は１つであってもよい。
【００８６】
上記した実施形態では、出没式筆記具１がノック式のボールペンについて説明したが、本発明はこれに限定されるものではない。例えば、出没式のマーカーペンや修正ペンなどの塗布具であってもよい。
【００８７】
上記した実施形態では、クリップ本体７６の本体部７９の形状を長板状としたが、本発明はこれに限定されるものではなく、図２０のように湾曲した形状であってもよい。
【符号の説明】
【００８８】
１  出没式筆記具
２  軸筒
６  操作部
７  クリップ部
２１  凹部
３１  ペン先（筆記部）
３５  押圧部
３６  中継部（固定部）
４１  後端側規制溝（規制部）
５０  係止片（規制部）
５８，５９  係合片
６５，６６  操作側凸部
７５  クリップ支持部
７６  クリップ本体
７８  クリップ側溝部
８５  移動空間（収納空間）
【図１】
2016107518.tif 000003
【図２】
2016107518.tif 000004
【図３】
2016107518.tif 000005
【図４】
2016107518.tif 000006
【図５】
2016107518.tif 000007
【図６】
2016107518.tif 000008
【図７】
2016107518.tif 000009
【図８】
2016107518.tif 000010
【図９】
2016107518.tif 000011
【図１０】
2016107518.tif 000012
【図１１】
2016107518.tif 000013
【図１２】
2016107518.tif 000014
【図１３】
2016107518.tif 000015
【図１４】
2016107518.tif 000016
【図１５】
2016107518.tif 000017
【図１６】
2016107518.tif 000018
【図１７】
2016107518.tif 000019
【図１８】
2016107518.tif 000020
【図１９】
2016107518.tif 000021
【図２０】
2016107518.tif 000022